【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
無線通信システムにおいてゲーテッドパイロットに対する補間されたパイロットシンボルを導出するための方法であって、
第１の時刻段階に対する第１の回復されたパイロットシンボル、および第２の時刻段階に対する第２の回復されたパイロットシンボルを取得し、
第１および第２の時刻段階間の第３の時刻段階において受信された信号内に誘導された位相変化を推定し、
第１および第２の回復されたパイロットシンボルおよび推定された誘導された位相変化に基づいて第１および第２の位相回転されたシンボルを導出し、
第１の回復されたパイロットシンボルおよび第１の位相回転されたシンボルに基づいて第１および第３の時刻段階間の補間されたパイロットシンボルを導出し、そして
第２の位相回転されたシンボルおよび第２の回復されたパイロットシンボルに基づいて第３および第２の時刻段階間の補間されたパイロットシンボルを導出する、
ことを含む方法。
【請求項２】
さらに、第１および第２の回復されたパイロットシンボルに基づいて第３の時刻段階における補間されたパイロットシンボルを導出し、そして
第１および第２の位相回転されたシンボルを導出するために第３の時刻段階における補間されたパイロットシンボルを回転する、
ことを含む請求項１記載の方法。
【請求項３】
推定された誘導された位相変化は、第１、第２、および第３の時刻段階に基づいて第１および第２の位相回転されたシンボルに配分される請求項２記載の方法。
【請求項４】
第１および第２の位相回転されたシンボルは推定された誘導された位相変化によって分離される請求項１記載の方法。
【請求項５】
第１および第２の回復されたパイロットシンボルは、ゲーテッドパイロットに対して受信されたパイロットバーストに基づいて導出される請求項１記載の方法。
【請求項６】
さらに、受信信号経路内の回路セッティングの変化を検出し、そして、
推定された誘導された位相変化は検出された回路セッティングの変化に基づいて決定される、
ことを含む請求項１記載の方法。
【請求項７】
補間されたパイロットシンボルは補間に基づいて導出される請求項１記載の方法。
【請求項８】
補間されたパイロットシンボルは線形補間に基づいて導出される請求項１記載の方法。
【請求項９】
補間されたパイロットシンボルはカルテシアン補間に基づいて導出される請求項１記載の方法。
【請求項１０】
補間されたパイロットシンボルは極補間に基づいて導出される請求項１記載の方法。
【請求項１１】
ゲーテッドパイロット伝送方式を使用しているＣＤＭＡ通信システムにおいて、受信された信号内のパイロットバーストに基づいて補間されたパイロットシンボルを導出するための方法であって、
第１および第２の時刻段階においてそれぞれ受信されたパイロットバーストに基づいて、第１および第２の回復されたパイロットシンボルを導出し、
第１および第２の時刻段階間の第３の時刻段階において受信された信号内に誘導される位相変化を推定し、
第１および第２の回復されたパイロットシンボルに基づいて第３の時刻段階における補間されたパイロットシンボルを導出し、
第１および第２の位相回転されたシンボルを導出するために推定された誘導された位相変化だけ第３の時刻段階における補間されたパイロットシンボルを回転し、
第１の回復されたパイロットシンボルおよび第１の位相回転されたシンボルに基づいて、そして線形補間を用いて、第１および第３の時刻段階間の補間されたパイロットシンボルを導出し、そして
第２の位相回転されたシンボルおよび第２の回復されたパイロットシンボルに基づいて、そして線形補間を用いて、第３および第２の時刻段階間の補間されたパイロットシンボルを導出する、
ことを含む方法。
【請求項１２】
ディジタル信号処理デバイスと通信的に結合されたメモリであって、
ゲーテッドパイロットに対して受信されたパイロットバーストに基づいて導出された、第１の時刻段階に対する第１の回復されたパイロットシンボルおよび、第２の時刻段階に対する第２の回復されたパイロットシンボルを取得し、
第１および第２の時刻段階間の第３の時刻段階における受信された信号内に誘導された位相変化を推定し、
第１および第２の回復されたパイロットシンボルおよび推定された誘導された位相変化に基づいて第１および第２の位相回転されたシンボルを導出し、
第１の回復されたパイロットシンボルおよび第１の位相回転されたシンボルに基づいて第１および第３の時刻段階間の補間されたパイロットシンボルを導出し、そして
第２の位相回転されたシンボルおよび第２の回復されたパイロットシンボルに基づいて第３および第２の時刻段階間の補間されたパイロットシンボルを導出する
ためのディジタル情報を理解する能力を有するメモリ。
【請求項１３】
ディジタル信号処理デバイスは、さらに、
第１および第２の回復されたパイロットシンボルに基づいて第３の時刻段階における補間されたパイロットシンボルを導出し、そして
第１および第２の位相回転されたシンボルを導出するために、第３の時刻段階における補間されたパイロットシンボルを回転するためのディジタル情報を理解する能力を有する、
請求項１２記載のメモリ。
【請求項１４】
ゲーテッドパイロットに対する補間されたパイロットシンボルを導出するための計算機プログラム製品であって、
第１の時刻段階に対する第１の回復されたパイロットシンボルおよび第２の時刻段階に対する第２の回復されたパイロットシンボルを取得するためのコードと、
第１および第２の時刻段階間の第３の時刻段階における受信された信号内に誘導された位相変化を推定するためのコードと、
第１および第２の回復されたパイロットシンボルおよび推定された誘導された位相変化に基づいて第１および第２の位相回転されたシンボルを導出するためのコードと、
第１の回復されたパイロットシンボルおよび第１の位相回転されたシンボルに基づいて第１および第３の時刻段階間の補間されたパイロットシンボルを導出するためのコードと、
第２の位相回転されたシンボルおよび第２の回復されたパイロットシンボルに基づいて第３および第２の時刻段階間の補間されたパイロットシンボルを導出するためのコードと、そして
コードを保存するための計算機により使用可能な媒体と、
を含む計算機プログラム製品。
【請求項１５】
無線通信システム内で使用するためのパイロット処理装置であって、
第１の時刻段階に対する第１の回復されたパイロットシンボル、および第２の時刻段階に対する第２の回復されたパイロットシンボルを取得することが可能な第１のユニットと、なお、第１および第２の回復されたパイロットシンボルは、ゲーテッドパイロットに対して受信されたパイロットバーストに基づいて導出され、
第１および第２の回復されたパイロットシンボルおよび、第１および第２の時刻段階間の第３の時刻段階において受信された信号内に誘導された位相変化の推定値に基づいて、第１および第２の位相回転されたシンボルを導出することが可能なシンボル発生器と、そして
第１の回復されたパイロットシンボルおよび第１の位相回転されたシンボルに基づいて第１および第３の時刻段階間の補間されたパイロットシンボルを導出し、そして第２の位相回転されたシンボルおよび第２の回復されたパイロットシンボルに基づいて第３および第２の時刻段階間の補間されたパイロットシンボルを導出することが可能な補間器と、
を含むパイロット処理装置。
【請求項１６】
さらに、パイロット推定値を与えるために補間されたパイロットシンボルを濾波することが可能な濾波器を含む請求項１５記載のパイロット処理装置。
【請求項１７】
補間器は線形補間を実行することが可能な請求項１５記載のパイロット処理装置。
【請求項１８】
無線通信システムはＩＳ‐８５６  ＣＤＭＡ通信システムである請求項１５記載のパイロット処理装置。
【請求項１９】
無線通信システムはｃｄｍａ２０００通信システムである請求項１５記載のパイロット処理装置。
【請求項２０】
無線通信システムはＷ‐ＣＤＭＡ通信システムである請求項１５記載のパイロット処理装置。
【請求項２１】
複数のフィンガ処理装置を含むレイク受信機であって、各フィンガ処理装置は、
逆拡散されたサンプルを与えるためにデータサンプルを受信しそして逆拡散することが可能な逆拡散器と、
データシンボルを与えるために、逆拡散されたサンプルを第１のチャネル化符号でデカバーすることが可能なデータデカバラと、
ゲーテッドパイロットに対して受信されたパイロットバーストに対する回復されたパイロットシンボルを与えるために、逆拡散されたサンプルを第２のチャネル化符号でデカバーすることが可能なパイロットデカバラと、
受信された信号内に誘導された位相変化を含む位相を有する参照信号を与えるために、回復されたパイロットシンボルを処理することが可能なパイロット処理装置と、そして
復調されたシンボルを与えるために、データシンボルを参照信号で復調することが可能なデータ復調器と、
を含むレイク受信機。
【請求項２２】
パイロット処理装置は、
第１の時刻段階に対する第１の回復されたパイロットシンボルおよび第２の時刻段階に対する第２の回復されたパイロットシンボルを取得することが可能な第１のユニットと、
第１および第２の回復されたパイロットシンボル、および第１および第２の時刻段階間の第３の時刻段階における受信された信号内に誘導された位相変化の推定値に基づいて、第１および第２の位相回転されたシンボルを導出することが可能なシンボル発生器と、そして
第１の回復されたパイロットシンボルおよび第１の位相回転されたシンボルに基づいて第１および第３の時刻段階間の補間されたパイロットシンボルを導出し、そして第２の位相回転されたシンボルおよび第２の回復されたパイロットシンボルに基づいて、第３および第２の時刻段階間の補間されたパイロットシンボルを導出することが可能な補間器と、
を含む請求項２１記載のレイク受信機。
【請求項２３】
補間器は線形補間を用いて補間されたパイロットシンボルを導出することが可能な請求項２２記載のレイク受信機。
【請求項２４】
ディジタル信号処理装置であって、
第１の時刻段階に対する第１の回復されたパイロットシンボルおよび第２の時刻段階に対する第２の回復されたパイロットシンボルを取得することが可能な第１のユニットと、なお、第１および第２の回復されたパイロットシンボルはゲーテッドパイロットに対して受信されたパイロットバーストに基づいて導出され、
第１および第２の回復されたパイロットシンボルおよび、第１および第２の時刻段階間の第３の時刻段階において受信された信号内に誘導された位相変化の推定値に基づいて、第１および第２の位相回転されたシンボルを導出することが可能なシンボル発生器と、そして
第１の回復されたパイロットシンボルおよび第１の位相回転されたシンボルに基づいて第１および第３の時刻段階間の補間されたパイロットシンボルを導出し、そして第２の位相回転されたシンボルおよび第２の回復されたパイロットシンボルに基づいて第３および第２の時刻段階間の補間されたパイロットシンボルを導出することが可能な補間器と、
を含むディジタル信号処理装置。
【請求項２５】
無線通信システムにおける受信機ユニットであって、
データサンプルを与えるために受信された信号を処理することが可能な受信機と、そして
複数のフィンガ処理装置を含むレイク受信機とを含み、なお、各フィンガ処理装置は信号インスタンスに対して復調されたシンボルを与えるために受信された信号内のそれぞれの信号インスタンスに対するデータサンプルを処理することが可能であり、各フィンガ処理装置は、
逆拡散されたサンプルを与えるためにデータサンプルを受信しそして逆拡散することが可能な逆拡散器と、
データシンボルを与えるために逆拡散されたサンプルを第１のチャネル化符号でデカバーすることが可能なデータデカバラと、
ゲーテッドパイロットに対して受信されたパイロットバーストに対する回復されたパイロットシンボルを与えるために、逆拡散されたサンプルを第２のチャネル化符号でデカバーすることが可能なパイロットデカバラと、
受信機内の回路変化によって、受信された信号内に誘導された位相変化を含む位相を有する参照信号を与えるために、回復されたパイロットシンボルを処理することが可能なパイロット処理装置と、そして
復調されたシンボルを与えるためにデータシンボルを参照信号で復調することが可能なデータ復調器と、
を含む受信機ユニット。
【請求項２６】
さらに、受信機内の回路変化の表示を与えることが可能な制御器を含む請求項２５記載の受信機ユニット。
【請求項２７】
さらに、受信機および組み合わせられた位相に対する複数の回路セッティングに対する表を保存することが可能なメモリを含む請求項２５記載の受信機ユニット。
【請求項２８】
パイロット処理装置はさらに、補間されたパイロットシンボルを導出することが可能な請求項２５記載の受信機ユニット。
【請求項２９】
無線通信システムにおける端末であって、
データサンプルを与えるために受信された信号を処理することが可能な受信機と、そして
複数のフィンガ処理装置を含むレイク受信機とを含み、なお、各フィンガ処理装置は、信号インスタンスに対する復調されたシンボルを与えるために受信された信号内のそれぞれの信号インスタンスに対するデータサンプルを処理することが可能であり、各フィンガ処理装置は、受信機内の回路変化によって受信された信号内に誘導された位相変化を含む位相を有する参照信号を与えるために回復されたパイロットシンボルを処理することが可能なパイロット処理装置を含む、
端末。
【請求項３０】
さらに、受信機内の回路変化の表示を与えることが可能な制御器を含む請求項２９記載の端末。
【請求項３１】
各フィンガ処理装置はさらに線形補間を用いて補間されたパイロットシンボルを導出するように動作する請求項２９記載の端末。
【請求項３２】
各フィンガ処理装置はさらに、カルテシアン補間に基づいて補間されたパイロットシンボルを導出するように動作する請求項２９記載の端末。
【請求項３３】
無線通信システムはゲーテッドパイロット伝送法式を使用しているＣＤＭＡシステムである請求項２９記載の端末。
【請求項３４】
無線通信システムにおける装置であって、
第１の時刻段階に対する第１の回復されたパイロットシンボルおよび第２の時刻段階に対する第２の回復されたパイロットシンボルを取得するための手段と、なお、第１および第２の回復されたパイロットシンボルはゲーテッドパイロットに対するパイロットバーストに基づいて導出され、
第１および第２の時刻段階間の第３の時刻段階における受信された信号内に誘導される位相変化を推定するための手段と、
第１および第２の回復されたパイロットシンボルおよび推定された誘導された位相変化に基づいて第１および第２の位相回転されたシンボルを導出するための手段と、
第１の回復されたパイロットシンボルおよび第１の位相回転されたシンボルに基づいて第１および第３の時刻段階間の補間されたパイロットシンボルを導出するための手段と、そして
第２の位相回転されたシンボルおよび第２の回復されたパイロットシンボルに基づいて第３および第２の時刻段階間の補間されたパイロットシンボルを導出するための手段と、
を含む装置。
【請求項３５】
さらに、第１および第２の回復されたパイロットシンボルに基づいて第３の時刻段階における補間されたパイロットシンボルを導出するための手段と、そして
第１および第２の位相回転されたシンボルを導出するために第３の時刻段階における補間されたパイロットシンボルを回転するための手段と、
を含む請求項３４記載の装置。
【請求項３６】
補間されたパイロットシンボルは線形補間を用いて導出される請求項３４記載の装置。
【手続補正２】
【補正対象書類名】明細書
【補正対象項目名】００１４
【補正方法】変更
【補正の内容】
【００１４】
ダウンコンバータ１２８は、ＡＧＣされたＲＦ信号に関するＲＦからベースバンドに下がる直交ダウンコンバージョンを実行する。ダイレクトダウンコンバージョン(direct downconversion)に対しては、これは、複素ベースバンド信号を与えるために、ＡＧＣされたＲＦ信号を複素局部発信器（ＬＯ：local oscillator）信号と乗算する（すなわち混合する）ことによって達成することが可能である。とくに、ＡＧＣされたＲＦ信号は、同相（Ｉ：inphase）ベースバンド成分を与えるために同相ＬＯ信号と混合し、そして直交（Ｑ：quadrature）ベースバンド成分を与えるために直交ＬＯ信号と混合することが可能である。ヘテロダイン受信機に対しては、ダウンコンバージョンは複数の段階で（たとえばＲＦからＩＦに下がり、そしてそこでＩＦからベースバンドに下がる）実行することが可能である。何れの場合においても、ダウンコンバージョンを実行するために使用されるミクサは、異なった利得を与えるために制御することが可能な複数の段階で実現することが可能であり、そしてミクサによって与えられるべき特定の利得はまた、制御器１５０からの他の利得制御によって決定することが可能である。